(57)【要約】      （修正有）【課題】外れにくく、結び目がほどき易く、かつ縫製の手間の少ない鉢巻を提供する。【解決手段】本発明の鉢巻１００は、帯状をなし、頭部に巻回して両端を結ぶことにより着用する。伸縮性を有する糸を用いて少なくとも長手方向に伸縮するよう形成された布地からなる。鉢巻１００の布地は、鉢巻１００の長手方向に延びる経糸と、前記経糸と直交する緯糸と有する織地からなり、経糸の少なくとも一部が、緯糸より伸縮性を有する糸からなることが好ましく、緯糸が、当該鉢巻の幅方向の両端で折り返すよう製織され、幅方向の少なくとも一端がほつれ編みされていることが好ましい。【選択図】図１
2019131905.tif 000002
【特許請求の範囲】
【請求項１】
帯状をなし、頭部に巻回して両端を結ぶことにより着用する鉢巻であって、
伸縮性を有する糸を用いて少なくとも長手方向に伸縮するよう形成された布地からなることを特徴とする鉢巻。
【請求項２】
前記布地は、当該鉢巻の長手方向に延びる経糸と、当該鉢巻の幅方向に延びる緯糸とを有する織地からなり、
前記経糸が、前記緯糸より伸縮性を有する糸からなる請求項１に記載の鉢巻。
【請求項３】
前記緯糸が、当該鉢巻の幅方向の両端で折り返すよう製織されている請求項２に記載の鉢巻。
【請求項４】
幅方向の少なくとも一端に、ほつれ編防止の編目が形成されている請求項３に記載の鉢巻。
【請求項５】
前記経糸がポリウレタン糸を芯糸としてナイロン糸でカバリングしたカバリングヤーンからなり、
前記緯糸がナイロン糸からなる請求項２から請求項４のいずれか１項に記載の鉢巻。
【請求項６】
ポリウレタンの混率が１２％以上２８％以下である請求項５に記載の鉢巻。
【請求項７】
前記織地の厚みが０．４ｍｍ以上、０．８ｍｍ以下である請求項２から請求項６のいずれか１項に記載の鉢巻。
【発明の詳細な説明】
【技術分野】
【０００１】
この発明は、頭部に巻回して両端を結ぶことにより着用する帯状の鉢巻に関する。
【背景技術】
【０００２】
従来、小学校や中学校の運動会等では、所属するチームを表示するために、生徒に帯状の鉢巻を着用させている。かかる鉢巻２００は、図２に示すように、綿やポリエステル等の平織やサテン織の織地を帯状に裁断したものを、長手方向に沿った折線４で幅方向に２つ折りにし、周囲を縫合して形成している。鉢巻２００は、ほつれの原因となる裁断線が表に出ないように、幅方向の端縁３は、内側への折返し部８を設け、長手方向の端縁５、５は、３重の折返し部７を設けて縫製している。
【０００３】
ところが、近年の人件費高騰により、このような手の込んだ縫合工程にかかるコストが製造者の大きな負担となっている。また、従来の鉢巻は、すぐに頭部から外れてしまうという課題や、結び目が硬くなると解けないため、一度外れると再度着用するのに時間がかかるという課題が有った。
【０００４】
一方で、伸縮性のある布地を用い、両端に設けた面ファスナーにより頭部に巻回することで、外れにくく、結び目を不要とした鉢巻が各種提案されている（例えば、特許文献１、特許文献２）。
【先行技術文献】
【特許文献】
【０００５】
【特許文献１】実用新案登録第３０８１０１３号公報
【特許文献２】実用新案出願公開昭６２−１８３８２６号公報
【発明の概要】
【発明が解決しようとする課題】
【０００６】
しかし、運動会の鉢巻は、髪を押さえ、汗の流下を防ぐという目的の他に、結ぶことにより気が引き締まるといった効果や、結び目が気の引き締まった雰囲気を醸し出すという効果があり、特許文献１や特許文献２のように、結び目の無い鉢巻は、かかる効果が失われるという問題が有る。また、これらの鉢巻は、締める強さを調整できないという問題もある。
本発明は、上記課題に鑑みてなされたものであり、両端を結ぶことにより頭部に着用する鉢巻でありながら、外れにくく、結び目が溶き易く、かつ縫製の手間の少ない鉢巻の提供を目的とする。
【課題を解決するための手段】
【０００７】
上記課題を解決するためになされた発明は、帯状をなし、頭部に巻回して両端を結ぶことにより着用する鉢巻であって、伸縮性を有する糸を用いて少なくとも長手方向に伸縮するよう形成された布地からなることを特徴とする。
【０００８】
このように、本発明の鉢巻では伸縮性を有する糸を用いて長手方向に伸縮するよう形成したので、少し伸ばし気味にした状態で締めると、収縮力で頭部を締め付けることができるため、外れにくい。また、締めるときに、締付けの強さを調整できるため、着用感を高めることができる。さらに、結び目が団子になった場合にも布地が延びるため、容易に結び目を解くことができる。
【０００９】
前記布地は、当該鉢巻の長手方向に延びる経糸と、当該鉢巻の幅方向に延びる緯糸とを有する織地からなり、前記経糸が、前記緯糸より伸縮性を有する糸からなることが好ましい。こうすることで、鉢巻が幅方向に延びて、鉢巻らしさを損なうことを抑制できる。
【００１０】
本発明の鉢巻は、前記緯糸が、当該鉢巻の幅方向の両端で折り返すよう製織されていることが好ましい。こうすることで、幅方向の両端（耳）がほつれにくくなるためほつれ縫いを省略できる。
【００１１】
本発明の鉢巻は、幅方向の少なくとも一端に、ほつれ編防止の編目が形成されていることが好ましい。こうすることで、ほつれ縫いをすることなく、さらに鉢巻をほつれにくくできる。
【００１２】
本発明の鉢巻は、前記経糸がポリウレタン糸を芯糸としてナイロン糸でカバリングしたカバリングヤーンからなり、前記緯糸がナイロン糸からなることが好ましい。こうすることで、鉢巻を硬く結んでも、容易にほどくことができる。
【００１３】
この場合、ポリウレタンの混率が１２％以上２８％以下であることが好ましい。ポリウレタンの混率が１２％未満であると、十分な伸びが期待できず、従来品と差ほど変わらなくなる。またポリウレタンの混率が２８％を超えると、ナイロンのしっかりした強靭性が不足し、しっかりした締め具合が得られない虞がある。
【００１４】
本発明の鉢巻は、前記織地の厚みが０．４ｍｍ以上、０．８ｍｍ以下であることが好ましい。厚みが０．４ｍｍ未満であると、締めて伸びたときに、生地が透けてしまう虞が有り、また、厚みが０．８ｍｍを超えると、厚み方向の弾力が大きすぎ、鉢巻としての質感を損ねる虞がある。
【発明の効果】
【００１５】
以上説明したように、本発明の鉢巻によれば、頭から外れにくく、結び目が団子になった場合も容易にほどくことができ、締付強さを調整することができる。
【図面の簡単な説明】
【００１６】
【図１】本発明の一の実施形態に係る鉢巻を示した斜視図である。
【図２】従来の鉢巻を示した斜視図である。
【発明を実施するための形態】
【００１７】
以下、適宜図面を用いながら本発明の実施形態について詳述する。ただし、本発明は、以下の実施形態に限定されるものではない。
【００１８】
図１は、本発明の一の実施形態に係る鉢巻１００を示している。鉢巻１００は、伸縮性のある糸により、少なくとも長手方向に伸縮する帯状に形成されるべきところ、伸縮性に富んだいわゆる弾性糸を少なくとも経糸の一部に、経糸より伸縮性に乏しいいわゆる非弾性糸を緯糸にして製織された織地により形成されている。
【００１９】
鉢巻１００は、ニードル織機を用いて幅方向の両端で緯糸を折り返すようにして、製織され、幅方向の一端（片耳）１に、ベラ針で編んだほつれ防止の編目１ａが形成されている（図１の拡大図参照）。鉢巻１００の織組織としては、公知の織組織を適宜に採用できるが、平織が好ましい。
また、鉢巻１００は、従来の鉢巻２００のように１枚の布を２つ折りにしたり２枚の布を重ねたりしたものではなく、一重に設けられている。
【００２０】
鉢巻１００の経糸に用いる弾性糸としては、緯糸より伸縮性を有するものであれば特に限定されないが、天然ゴムや合成ゴム、ポリウレタン等の弾性を有する芯糸に綿、ナイロン、ポリウレタン等の鞘糸を巻回したカバリングヤーンが好ましく、特にポリウレタンを芯糸としナイロンを鞘糸とした糸が、吸湿性と肌触りに優れることから好ましい。
【００２１】
鉢巻１００は、経糸に芯糸がポリウレタン、鞘糸がナイロンからなるカバリングヤーンを用い、緯糸にナイロン糸を用いた場合、ポリウレタンの混率は、１２％以上２８％以下が好ましい。ポリウレタンの混率が１２％未満であると、十分な伸びが期待できず、従来品とさほど変わらなくなる。またポリウレタンの混率が２８％を超えると、ナイロンのしっかりした強靭性が不足し、しっかりした締め具合が得られない虞がある。
【００２２】
鉢巻１００は、幅方向に鉢巻１００の厚みは、特に限定されないが、０．４ｍｍ以上、０．８ｍｍ以下であることが好ましい。厚みが０．４ｍｍ以上であると、締めて伸びたときに、生地が透けてしまうことを抑制できる。また、厚みが０．８ｍｍ以下であると、鉢巻としての質感を十分に確保することができる。
かかる厚みを確保するために、鉢巻１００は、経糸、緯糸とも１００デニール以下の極細糸を用いることが好ましい。
例えば、緯糸に１００デニールのナイロン糸を用い、経糸にポリウレタンを芯糸としナイロンを鞘糸とした１００デニールのカバリングヤーンで幅４０ｍｍの鉢巻１００を形成する場合、２１０本の経糸を打ち込んで製織する。
【００２３】
本発明に係る鉢巻は、上記の実施形態に限らず、例えば、鉢巻の布地として、織地ではなく編地を用いてもよい。また、本発明の鉢巻は、幅広の織地を裁断して帯状としたのもでもよいし、幅方向に２つ折りにしたものでもよく、周囲にほつれ止めの縫合線を備えていてもよい。
【符号の説明】
【００２４】
１００  鉢巻
１  幅方向の端縁
１ａ  ほつれ編防止の編目
２  長手方向の端縁
【図１】
2019131905.tif 000003
【図２】
2019131905.tif 000004